【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
組織を穿刺し神経系要素の近接性を監視するための外科用工具において、
針アッセンブリと、ハンドルアッセンブリと、電気リード線とを備えており、
前記針アッセンブリは、長手方向に沿って伸張しており、
先の尖った遠位端付近に電気伝導性部分を含んでいるスタイレットであって、軸部が、前記遠位端から近位方向に伸張して、前記スタイレットの近位側伸張部への導電性経路を提供している、スタイレットと、
絶縁された外表面領域と長さを含んでいる套管であって、前記スタイレットが前記套管内に配置されると、前記スタイレットの前記先の尖った遠位端が前記絶縁された表面領域から遠位方向に突き出る、套管と、を備えており、
前記ハンドルアッセンブリは、前記針アッセンブリの前記近位端付近に取り付けることができ、
電気的に絶縁された外表面領域と、
前記電気的に絶縁された表面領域の内側にあり且つ前記スタイレットの前記近位側伸張部と係合させることができる電気伝導性領域と、を備えており、
前記ハンドルアッセンブリは、大きい方の寸法が小さい方の寸法よりも少なくとも５０％大きい把持部分であって、前記大きい方の寸法と前記小さい方の寸法は、前記長手方向軸に対して及び互いに対して直角に測定される、把持部分を含んでおり、
前記電気リード線は、前記電気伝導性領域から前記ハンドルアッセンブリを通って前記大きい方の寸法に沿って伸張している、外科用工具。
【請求項２】
前記套管は、前記スタイレットが前記套管内に配置されているとき、前記スタイレットの前記遠位側の先が尖った端部よりも近位側に配置される遠位端を含んでいる、請求項１に記載の外科用工具。
【請求項３】
前記套管は、その近位端に接続部材を含んでおり、前記スタイレットは、前記スタイレットの近位端周りに、前記套管の前記接続部の近位端と当接係合して配置させることができるハブを含んでいる、請求項２に記載の外科用工具。
【請求項４】
前記ハブは、前記軸部周りに伸張している胴部を含んでおり、前記スタイレットの前記近位側伸張部は、前記胴部から近位方向に伸張している、請求項３に記載の外科用工具。
【請求項５】
前記套管上の前記接続部材は、前記套管から外向きに突き出ている把持部分と、前記把持部分の遠位側に前記套管の周りに伸張している第１スリーブ部分と、前記把持部分の近位側に前記套管の周りに伸張している第２スリーブ部分と、を含んでいる、請求項３に記載の外科用工具。
【請求項６】
前記第２スリーブ部分は、前記針アッセンブリを前記ハンドルアッセンブリに前記ハブで連結するために係止要素を受け入れるための一対のノッチを含んでおり、前記接続部材は、少なくとも部分的には前記ハンドルアッセンブリに受け入れられる、請求項５に記載の外科用工具。
【請求項７】
前記スタイレットの前記近位側伸張部は、前記ハンドルアッセンブリ内のレセプタクルの内部に嵌り、前記レセプタクルは、前記近位側伸張部と係合して前記針アッセンブリを前記リード線と連結するための電気的接点を含んでいる、請求項１記載の外科用工具。
【請求項８】
前記套管は、前記套管を患者の組織を貫いて動かし易くするために面取りされた遠位端を含んでいる、請求項１に記載の外科用工具。
【請求項９】
前記套管は、前記套管の遠位端と近位端の間に概ね一定の寸法を有する管腔を含んでいる、請求項１に記載の外科用工具。
【請求項１０】
前記リード線は、前記ハンドルアッセンブリの前記大きい方の寸法に沿って伸張し、前記曲がった表面よりも遠位側の位置で前記ハンドルアッセンブリを出て、前記把持部分の回りに置かれた使用者の手に干渉しないようになっている、請求項１に記載の外科用工具。
【請求項１１】
前記ハンドルアッセンブリは、ハンドル胴部を含んでおり、前記ハンドル胴部は、前記大きい方の寸法に沿って、前記ハンドル胴部の側部外表面から、前記ハンドルアッセンブリが前記針アッセンブリと係合したときには前記針アッセンブリの長手方向軸に沿って整列するレセプタクルまで、伸張している内径部を有しており、前記リード線は、前記内径部を通って伸張している、請求項１に記載の外科用工具。
【請求項１２】
前記内径部内に配置することができる胴部を更に備えており、前記胴部は、前記リード線のケーブル部分を受け入れて、前記ケーブル部分を前記ハンドルアッセンブリ内に固定するための溝を画定している、請求項１１に記載の工具。
【請求項１３】
組織を穿刺し神経系要素の近接性を監視するための外科用工具において、
針アッセンブリと、ハンドルアッセンブリとを備えており、
前記針アッセンブリは、長手方向軸に沿って伸張しており、
組織を穿刺できるようになっている、遠位端付近の露出した電気伝導性部分と、
近位側部分と、
前記導電性部分と前記近位側部分の間の導電性経路の周りに伸張している絶縁されている表面領域と、を備えており、
前記ハンドルアッセンブリは、
電気的に絶縁されている表面領域と、
前記電気的に絶縁されている表面領域の内側の電気伝導性領域と、
前記針アッセンブリの前記近位側部分を、前記電気伝導性領域と電気的に係合させて受け入れるための開口部と、
大きい方の寸法と小さい方の寸法に沿って伸張している把持部分であって、前記小さい方の寸法は前記大きい方の寸法よりも小さく、前記大きい方及び小さい方の各寸法は、前記長手方向軸に対して及び互いに対して直角に測定される、把持部分と、
前記大きい方の寸法に沿って、前記絶縁されている表面領域の内側の前記電気伝導性領域から前記把持部分の外側の位置まで伸張している電気リード線と、を備えている、外科工具。
【請求項１４】
前記針アッセンブリの前記長手方向軸の周りに、前記針アッセンブリを前記ハンドルアッセンブリ内に保持する第１位置から、前記針アッセンブリを前記ハンドルアッセンブリから取り外せるようにする第２位置まで、回転させることができる係止要素を、更に備えている、請求項１３に記載の外科用工具。
【請求項１５】
前記ハンドルアッセンブリは、前記針アッセンブリの前記近位側部分に電気的に係合させて、前記針アッセンブリを前記リード線と連結させるための電気的接点を含んでいるレセプタクルを含んでいる、請求項１３に記載の外科用工具。
【請求項１６】
前記針アッセンブリは、外側套管の管腔内に取り外し可能に受け入れられるスタイレットを含んでおり、前記スタイレットは、前記針アッセンブリが前記ハンドルアッセンブリ内に受け入れられているときに、前記套管の近位端接続部材と、近位側で当接係合させて配置させることができる近位端ハブを含んでいる、請求項１３に記載の外科用工具。
【請求項１７】
前記電気伝導性部分は、前記スタイレットの遠位端を含んでおり、前記導電性経路は、前記スタイレットの軸部に沿って伸張している、請求項１６に記載の外科用工具。
【請求項１８】
套管は、その外表面の周りに前記絶縁された表面領域を含んでいる、請求項１７に記載の外科用工具。
【請求項１９】
前記大きい方の寸法は、前記小さい方の寸法よりも少なくとも５０％大きい、請求項１３に記載の外科用工具。
【請求項２０】
前記ハンドルアッセンブリの前記把持部分は、前記ハンドルアッセンブリの近位端に沿って連続的に曲がっている外表面を含んでおり、前記大きい方の寸法に沿って使用者の手との境界面に解剖学的な整合性を提供している、請求項１３に記載の外科用工具。
【請求項２１】
前記ハンドルアッセンブリの前記絶縁された表面領域は、前記針アッセンブリの前記絶縁された表面領域と重ねて配置されている、請求項１３に記載の外科用工具。